(57)【要約】【課題】理美容師等が散髪を行う際の身体的負担を軽減し、腱鞘炎や肩こりなどの職業病をわずらうことを予防することができる指環リングを提供する。【解決手段】鋏の指環６，８と使用者の指とのサイズ調整に用いる指環リング５０である。指環リング５０は、指環６，８に内接するとともに、指環リング５０の外周面及び／又は内周面に粘弾性体が密着されており、且つ粘弾性体が指環６，８及び／又は指と密着する。【選択図】図６
2006175123.tif 000002
【特許請求の範囲】
【請求項１】
鋏の指環と使用者の指とのサイズ調整に用いる指環リングであって、前記指環リングが、前記指環に内接するとともに、前記指環リングの外周面及び／又は内周面に粘弾性体が密着されており、且つ前記粘弾性体が前記指環及び／又は前記指と密着する指環リング。
【請求項２】
前記指環リングが、前記粘弾性体から形成されたものであり、前記粘弾性体の表面、少なくとも前記粘弾性体の表面側面部に硬化樹脂層をコーティングした請求項１に記載の指環リング。
【請求項３】
鋏の指環と使用者の指とのサイズ調整に用いる指環リングであって、前記指環リングが、粘弾性体から形成されたものであり、鋏の指柄部から指環にかけて、少なくとも指環を包囲するように装着し、且つ前記鋏からの脱着が自在である指環リング。
【発明の詳細な説明】
【技術分野】
【０００１】
本発明は、鋏の指環と使用者の指とのサイズ調整に用いる指環リングに関する。
【背景技術】
【０００２】
日本の人口動態は、少子高齢化に進んでおり、近未来、４人に１人が老人という社会になりつつある。平成１６年現在、日本にいる理美容師も例外でなく、理美容師は高齢化に向かっており、長年に渡って散髪をしてきた結果、多くの理美容師が、例えば、図８に示す鋏の開閉による振動が主因と思われる腱鞘炎をわずらい、離職してしまうことも深刻な問題となってきている。
【０００３】
これは、一度、腱鞘炎をわずらうと、鋏で髪を切る時、わずかな開閉時の振動でも手に激痛が走るからである。また、腱鞘炎をわずらわなくとも、散髪中、理美容師は不自然な姿勢を強いられるため、鋏の重量が手首にかかることによって、肩や手首に大きな負担がかかり、肩こりや手首の慢性疲労及び関節炎を引き起こす原因となっていた。
【発明の開示】
【発明が解決しようとする課題】
【０００４】
本発明は、上述した従来技術の問題点に鑑みてなされたものであり、その目的とするところは、理美容師等が散髪を行う際の身体的負担を軽減し、腱鞘炎や肩こりなどの職業病をわずらうことを予防することができる指環リングを提供することにある。
【課題を解決するための手段】
【０００５】
上述の目的を達成するため、本発明は、以下の指環リングを提供するものである。
【０００６】
［１］  鋏の指環と使用者の指とのサイズ調整に用いる指環リングであって、前記指環リングが、前記指環に内接するとともに、前記指環リングの外周面及び／又は内周面に粘弾性体が密着されており、且つ前記粘弾性体が前記指環及び／又は前記指と密着する指環リング。
【０００７】
［２］  指環リングが、粘弾性体から形成されたものであり、粘弾性体の表面、少なくとも粘弾性体の表面側面部に硬化樹脂層をコーティングした［１］に記載の指環リング。
【０００８】
［３］  鋏の指環と使用者の指とのサイズ調整に用いる指環リングであって、前記指環リングが、粘弾性体から形成されたものであり、鋏の指柄部から指環にかけて、少なくとも指環を包囲するように装着し、且つ前記鋏からの脱着が自在である指環リング。
【発明の効果】
【０００９】
本発明の指環リングは、理美容師等が散髪を行う際の身体的負担を軽減し、腱鞘炎や肩こりなどの職業病をわずらうことを予防することができる。
【発明を実施するための最良の形態】
【００１０】
以下、図面を参照して、本発明の指環リングについて詳細に説明するが、本発明は、これに限定されて解釈されるものではなく、本発明の範囲を逸脱しない限りにおいて、当業者の知識に基づいて、種々の変更、修正、改良を加え得るものである。
【００１１】
図１〜５は、本発明の指環リングの各例を示すものであり、図１０は、鋏の典型例を示す正面図である。
【００１２】
尚、典型的な鋏は、例えば、図１０に示すように、動刃１と静刃２の二枚の刃が、ねじ３で連結されて一体をなす刃物であり、ねじ３を支点として開閉する構造を有するものであり、動刃１及び静刃２が、刃身１４と、刃身１４と一体化され、ねじ孔が形成された触面５と、指環６，８が形成された柄部７，９を有する掌体１６から形成されたものである。
【００１３】
本発明に係る指環リングは、例えば、図６に示すように、鋏の指環６，８と使用者の指とのサイズ調整に用いるものである。
【００１４】
本発明の指環リングの一例は、例えば、図２（ａ）（ｂ）に示すものがあり、図６に示すように、指環６，８にそれぞれ内接するとともに、指環リング５０の外周面に粘弾性体６０が密着されており、且つ粘弾性体６０が指環６，８とそれぞれ密着するものである。
【００１５】
このとき、図２（ａ）（ｂ）に示す指環リング５０は、図７（ａ）（ｂ）に示すように、鋏の指環８と内接するように指環リング５０を装着すると、指環８と指環リング５０との間に粘弾性体６０が挟み込まれた状態となる。
【００１６】
また、上記指環リングは、図２（ａ）に示すように、指環リング５０の外周面、即ち、溝５２に粘弾性体６０を密着させたもの、又は、図２（ｂ）に示すように、溝５２からフランジ５４にかけて粘弾性体６０を密着させたものであることが好ましい。
【００１７】
更に、上記指環リングは、溝５２（図２（ａ）参照）、又は、溝５２及びフランジ５４（図２（ｂ）参照）に、粘弾性体６０が密着している状態にある。その密着状態は、溝５２又は溝５２及びフランジ５４に粘弾性体６０が密着後、（例えば、接着剤等で）固定されていてもよいが、粘弾性体６０が劣化した場合、取り替えられるように、例えば、溝５２又は溝５２及びフランジ５４と相補形状を有するリング状の粘弾性体（図示せず）を着脱自在に密着させておくことがより好ましい。
【００１８】
以上のことから、図２（ａ）（ｂ）に示す指環リング５０を装着した鋏は、指環６と指環８との接触部で発生する衝撃を粘弾性体６０で緩和させるとともに、実使用中における指への違和感を軽減することができる（図６参照）。即ち、本発明の指環リングは、例えば、図１０に示すような通常の鋏であっても、指環６及び／又は指環８に装着するだけで、上記に示す効果を容易に付与することができる。
【００１９】
また、本発明の指環リングの他の例は、例えば、図３に示すものがあり、図６に示すように、指環６，８にそれぞれ内接するとともに、指環リング５０の内周面に粘弾性体６０が密着されており、且つ粘弾性体６０が指と密着するものであってもよい。
【００２０】
このとき、図３に示す指環リング５０は、図７（ｃ）に示すように、鋏の指環８と内接するように指環リング５０を装着すると、指環リング５０と指との間に粘弾性体６０が挟み込まれた状態となる。
【００２１】
また、図３に示す指環リングは、例えば、粘弾性体６０を溝５６の両端に配設されたストッパー５７にはめ込んで固定したり、また、ストッパー５７を用いることなく、粘弾性体６０を溝５６に接着してもよい（図示せず）が、粘弾性体６０が劣化した場合、取り替えられるように、例えば、溝５６と相補形状を有するリング状の粘弾性体（図示せず）を着脱自在に密着させておくことがより好ましい。更に、図４に示すように、溝５６にガイドレール５８を配設し、粘弾性体６０にガイドレール５８と相補形状のガイド溝５９を配設することにより、実使用時における指環リングからの粘弾性体６０の剥離を大幅に軽減することができる。
【００２２】
以上のことから、図３に示す指環リングは、指環と指環との接触部で発生する衝撃を粘弾性体で緩和させるとともに、実使用中における指への違和感を軽減することができる。即ち、本発明の指環リングは、例えば、図１０に示すような通常の鋏であっても、指環６及び／又は指環８に装着するだけで、上記に示す効果を容易に付与することができる。尚、図３に示す指環リングは、特に、粘弾性体６０が指（図示せず）と直接密着するため、グリップ感を向上する効果も期待できる。
【００２３】
更に、本発明の指環リングは、指環に内接するとともに、指環リングの内周面及び外周面に粘弾性体が密着されており、且つ粘弾性体が指環及び指と密着するもの、即ち、図５に示す構成であってもよい。
【００２４】
尚、図１〜５に示す指環リングの基本骨格５１は、例えば、リング状に薄く形成され、且つほぼ一定厚みを有するものであり、その断面形状は、指環とほぼ相補形状であり（図６参照）、具体的には、ほぼコ字形であり、その外周に溝５２が現れるように形成されているとともに、溝５２の両側には、指環に装着するためのフランジ５４が配置されている（図１参照）。
【００２５】
上記基本骨格５１の材質は、特に限定されないが、例えば、ポリアセタール、ポリアミド系樹脂、ポリカーボネートやＡＢＳ等のエンジニアリングプラスチック、超高分子量ポリエチレンやその他の超高分子量プラスチック等のポリオレフィン樹脂又はフッ素樹脂であることが好ましい（図１参照）。
【００２６】
これにより、本発明の指環リングは、図１に示す円型のみならず、楕円型や卵形の指環であっても適度に密接させて装着することができるため、指環リングがガタつくことなく、且つ指環リングを介して指が指環に対して適度に挙動するため、指への負担を軽減することができる。
【００２７】
更に、本発明に係る指環リングは、図１に示すように、基本骨格５１と、粘弾性体６０とを組み合わせたものであってもよいが、粘弾性体又は硬化樹脂で一体的に製造された指環リングであってもよい。これにより、本発明の指環リングは、実使用時における装着感や耐久性が向上するため好ましい。具体的には、図８（ａ）に示す形状の粘弾性体７１を作製し、鋏の指環に内接・密着する状態を維持できるように、粘弾性体７１の弾性率を調整したり、図８（ｂ）に示すように、フランジ７２の外表面に硬化樹脂層７４をコーティングすることで、粘弾性体を主とした指環リングを得ることができる。
【００２８】
次に、本発明に係る指環リングは、粘弾性体から形成されており、鋏の指柄部から指環にかけて、少なくとも指環を包囲するように装着され、且つ前記鋏からの脱着が自在であるものであってもよい。
【００２９】
上記指環リングの実施態様の一例としては、図９に示すように、拇指柄７から拇指環６にかけて、拇指環６及び拇指柄７を包囲する指環リング８０ａ、環指柄９から環指環８にかけて、環指柄９及び環指環８を包囲する指環リング８０ｂを挙げることができる。指環リング８０ａ及び指環リング８０ｂは、鋏からの着脱を容易にするため、切欠部８２と切欠部８４が配設されている。
【００３０】
上記指環リングは、鋏の指柄部から指環にかけて、少なくとも指環を包囲するように装着されているため、指環と指環との接触部で発生する衝撃をより緩和させることができるとともに、実使用中における指への違和感をより軽減することができる。更に、上記指環リングは、従来から使用されている様々な鋏に応じてオーダーメイドで容易に作製することができる。
【００３１】
本発明で用いる粘弾性体は、弾性と粘性とを有するものであり、短い観測時間に対しては弾性的固体のように、長い観測時間に対しては粘性流体のようにふるまうものである。このため、本発明に粘弾性体を用いた場合、防振・緩衝に必要なたわみ量を十分に確保することができるとともに、一部分（本発明では、特に手首への負担）に衝撃エネルギー等の負荷が集中することを防ぐことができる。また、粘弾性体は、通常、衝撃エネルギー吸収や、防振、制振、消音、防音、圧力分散に優れた特性を有する。
【００３２】
また、本発明で用いる粘弾性体は、特に限定されないが、例えば、エラストマー（特に、スチレン系エラストマー）、エポキシ樹脂、軟質ウレタン、シリコンゴム、更に詳細には、ポリウレタン樹脂を主成分とし、マシュマロのような特異な柔らかさを持ったゲル状物質（例えば、商品名：ＥＸＰＥＲ−Ｕ［イイダ産業株式会社製］）、シリコンを主原料とする非常に柔らかいゲル状素材（例えば、商品名：アルファゲル［株式会社ジェルテック製］）、分子構造の設計段階で特別の工夫が施されたポリオールとＭＤＩからなるエーテル系ポリウレタン（例えば、商品名：ソルボ［三進興産株式会社製］）を好適に用いることができる。
【００３３】
尚、本発明で用いる粘弾性体の肉厚ｔは、特に限定されないが、好ましくは５〜１０ｍｍ、より好ましくは０．１５〜５ｍｍ、更に好ましくは０．０５〜２．５ｍｍである（図７（ａ）〜（ｃ）参照）。
【００３４】
また、本発明で用いる粘弾性体は、針入度（１／１０ｍｍ）が５５〜１５０、圧縮永久歪みが少なくとも２０％以下であることが好ましい。これは、上記の肉厚ｔで、指環６と指環８との接触部で発生する衝撃を十分に緩和させるために必要であるからである。尚、針入度は、ＪＩＳ  Ｋ２２０７の規格に準拠された試験により評価されたものであり、また、圧縮永久歪みは、ＪＩＳ  Ｋ６２６２の規格に準拠された試験により評価されたものである。
【産業上の利用可能性】
【００３５】
本発明の指環リングは、特に、理美容師の散髪に使用する鋏において好適に用いることができる。
【図面の簡単な説明】
【００３６】
【図１】本発明の指環リングの一例を示す概略斜視図である。
【図２】図１に示す指環リングの要部断面図の一例を示すものであり、（ａ）は溝に粘弾性体を密着させた場合、（ｂ）は溝及びフランジに粘弾性体を密着させた場合である。
【図３】図１に示す指環リングの他の例を示す要部断面図である。
【図４】図３に示す指環リングのＡ部拡大断面図である。
【図５】図１に示す指環リングの更に他の例を示す要部断面図である。
【図６】本発明の指環リングの実施態様の一例を示す要部正面図である。
【図７】（ａ）は図２（ａ）の指環リング装着時における図６のＡ−Ａ断面図であり、（ｂ）は図２（ｂ）の指環リング装着時における図６のＡ−Ａ断面図、（ｃ）は図３の指環リング装着時における図６のＡ−Ａ断面図である。
【図８】本発明の指環リングの更に他の例を示すものであり、（ａ）は概略斜視図、（ｂ）は（ａ）のフランジの外表面に硬化樹脂層をコーティングした状態を示す要部断面図である。
【図９】本発明の指環リングの実施態様の一例を示す要部正面透視図である。
【図１０】鋏の典型例を示す正面図である。
【符号の説明】
【００３７】
１…動刃、２…静刃、３…ネジ、５…触面、６…指環（拇指環）、７…柄部（拇指柄）、８…指環（環指環）、９…柄部（環指柄）、１２…上点、１４…刃身、１６…掌部、５０…指環リング、５１…基本骨格、５２…溝、５４…フランジ、５６…溝、５７…ストッパー、５８…ガイドライン、５９…ガイド溝、６０…粘弾性体、７０…指環リング、７１…溝、７２…フランジ、７４…硬化樹脂層、８０ａ，８０ｂ…指環リング、８２，８４…切欠部。
【図１】
2006175123.tif 000003
【図２】
2006175123.tif 000004
【図３】
2006175123.tif 000005
【図４】
2006175123.tif 000006
【図５】
2006175123.tif 000007
【図６】
2006175123.tif 000008
【図７】
2006175123.tif 000009
【図８】
2006175123.tif 000010
【図９】
2006175123.tif 000011
【図１０】
2006175123.tif 000012